(57)【特許請求の範囲】
【請求項１】
電話加入者が、確立された電話呼を、有線サービスからセルラーサービスへ切替える方法であって、
前記有線サービスは、公衆電話回線網に含まれる電話局を介して与えられるサービスであり、前記セルラーサービスは、セルラー回線網に含まれる移動交換局により与えられるサービスであり、前記セルラー回線網は、前記加入者の転送を処理するために、交換機能およびシグナリング機能を有する固定−セルラー移動エージェントを含み、前記確立された電話呼は、前記固定−セルラー移動エージェントを介して最初に経路化されたものであり、前記方法は、
前記固定−セルラー移動エージェントにおいて前記確立された電話呼の呼接続を監視し、該電話呼の転送要求を検出する工程と、
前記加入者からの前記転送要求に応答して、前記移動交換局に接続された前記固定−セルラー移動エージェント内のルックアップテーブルから、前記電話呼において現在使用されていない該加入者の他の電話の電話番号を取得する工程と、
前記固定−セルラー移動エージェントから前記加入者の他の電話に対して、さらに別の呼接続を確立する工程と
を具えたことを特徴とする方法。
【請求項２】
前記加入者の他の電話に対する前記別の呼接続を、前記最初に確立された電話呼の呼接続に対してブリッジする工程
をさらに具えた特徴とする請求項１記載の方法。
【請求項３】
電話加入者が、確立された電話呼を、セルラーサービスから有線サービスへ切替える方法であって、
前記セルラーサービスは、セルラー回線網に含まれる移動交換局により与えられるサービスであり、前記有線サービスは、公衆電話回線網に含まれる電話局を介して与えられるサービスであり、前記セルラー回線網は、前記加入者の転送を処理するために、交換機能およびシグナリング機能と、当該加入者毎に複数の電話番号がリストされたルックアップテーブルとを有する固定−セルラー移動エージェントを含み、前記確立された電話呼は、前記固定−セルラー移動エージェントを介して最初に経路化されたものであり、前記方法は、
前記固定−セルラー移動エージェントにおいて、
前記確立された電話呼の呼接続を監視し、該電話呼の転送要求を検出する工程と、
前記加入者からの前記転送要求に応答して、前記移動交換局に接続された前記固定−セルラー移動エージェント内のルックアップテーブルから、前記電話呼において現在使用されていない該加入者の他の電話の電話番号を取得する工程と、
前記固定−セルラー移動エージェントから前記加入者の他の電話に対して、さらに別の呼接続を確立する工程と
を具えたことを特徴とする方法。
【請求項４】
前記加入者の他の電話に対する前記別の呼接続を、前記最初に確立された電話呼の呼接続に対してブリッジする工程
をさらに具えた特徴とする請求項３記載の方法。
【発明の詳細な説明】
【０００１】
（発明の分野）
本発明は、一般に通信サービスに関し、より具体的に言えば、セルラー固定呼の完了および転送サービスを、従来のセルラー回線網と組み合わせて従来の公衆交換電話回線網に組み入れることに関する。
【０００２】
（発明の背景）
現在または近い将来、個人が少なくとも２つの電話番号を持ち、これを使って日常的に呼を送受信することになる。これら電話番号の１つは通常固定回線網に関連付けられ、もう１つは通常セルラー回線網に関連付けられる。ローカルアクセスプロバイダは、従来の固定電話回線網（fixed telephone network)（公衆交換電話回線網（ＰＳＴＮ:Public Switched Telephone Network）と呼ばれることが多い）に接続され、セルラーサービスプロバイダは、セルラー回線網（ＣＮ:Cellular Network）に接続される。さらに、ローカルアクセスプロバイダはセルラーサービスプロバイダであり、その逆もまた同様である。その結果、多くの通信ユーザが、自分の固定およびセルラーサービスに同じサービスプロバイダを有することが予想される。以下で説明するために、ＮfおよびＮcを使用して、それぞれ特定ユーザの固定回線網およびセルラー回線網への電話番号を表す。
【０００３】
Ｎfから実行される呼は、呼が固定回線網を介して送られ、限定無線帯域幅(limited wireless bandwidth)を使用しないため、通常はＮcから送受信される呼よりも安価である。ただし、固定回線網でいったん呼が開始されると、ユーザの移動性はかなり減少し、コードレス電話の場合は、音声品質を極端に低下させずにユーザが親機(電話機のベース：base of phone)から離れることのできる距離は５０〜１００メートルである。ただし、ユーザーが固定回線網を介して発信し進行中の呼をセルラー回線網に転送できれば、広範囲な地理的領域内を移動することができる。本発明により、従来技術から脱却している点は、進行呼転送サービス(Forwarding On-going Call Service)（ＦＯＣＳ）と呼ばれる新しい呼転送サービスであり、このサービスはユーザの要求に応じて、ユーザが自分の固定電話番号とセルラー電話番号との間で進行中の呼を完了した後に転送できるようにするものである。
【０００４】
ＦＯＣＳサービスは、ユーザとサービスプロバイダ双方に恩恵をもたらす。ユーザは、可能であれば必ず、移動性を犠牲にすることなく、固定回線網を介した低コストの呼を使用することができるので恩恵を受ける。ユーザは可能であれば必ずセルラー電話から固定回線網に交換するので、容量が限られたセルラー回線網で他のユーザをサポートできるため、サービスプロバイダも恩恵を受ける。さらに多くの顧客が、移動性をフルにサポートしたこの低コストサービスに魅力を感じることになろう。
【０００５】
（発見例(Heuristic Example)１）
ユーザが仕事に出ようとしたそのときに、家のＮfで呼を受け取るものと仮定する。現時点では、ユーザには次の２つのオプションしかない。仕事のために出勤するまでに呼を完了するか、または通話を打ち切ってからセルラー電話を使用して再開するかのどちらかである。通話を打ち切ってからセルラー電話を使用して再開するには、呼のすべての関係当事者が電話を切り、必要な接続を再確立する必要がある。これは明らかに面倒である。
【０００６】
ただし、ユーザが自分のセルラー電話を介して通話を中断せずに呼を転送できれば、ユーザの通勤中も呼は継続できる。したがってユーザは、低コストの固定回線網をできる限り長い間使用しながら、移動性も手に入れることができるため、恩恵を受ける。
【０００７】
（発見例２）
ユーザは家から離れた場所で自分のセルラー電話を使用して電話をかけ、その呼を進行させながら家に戻ってくる。音声品質はまったく低下することなく、家に着いても高価なセルラー回線網の使用を続けることができる。ただし、ユーザがこの呼を自分の固定電話に転送することができれば、それ以降の呼のコストは低くなる。サービスプロバイダも、ユーザが固定回線網に交換すれば、セルラー回線網の限られた容量を他のユーザのサポートに使用できることから恩恵を受ける。
【０００８】
従来技術では、固定回線網からセルラー回線網あるいはその逆へ進行中の呼を転送することはできない。サービスプロバイダの中には、呼を確立する前に、従来の呼転送などを使用して、固定からセルラーの回線網への呼の転送を提供するものもある。同様に、固定回線網サービスプロバイダの中には、典型的には被呼者の要求／介入で、１つの固定電話番号から他の番号へ進行している呼の転送を提供するものがある。
【０００９】
（発明の概要）
従来技術のこれらの短所ならびに他の制限および欠点は、固定セルラー移動エージェント（ＦＣＭＡ: Fixed-Cellular Mobility Agent）をセルラー回線網に導入することによって実施される方法および付随回路(methdology and concomitant circuitry)により、本発明に従って未然に防がれるものであって、前記ＦＣＭＡは少なくとも、ＣＮまたはＰＳＴＮへの発信呼／着信呼としてのＭＳＣへの着信呼／発信呼(incoming/outgoing calls)を相互接続するための、ＰＳＴＮ電話局の機能を有し、さらに、ＣＮとＰＳＴＮとの間で呼転送(call transfer)を実行するための各呼接続を監視する。
【００１０】
本発明の広範な呼完了(call completion)の態様によれば、共に同じサービスプロバイダによってローカルに提供される、公衆交換電話回線網（ＰＳＴＮ）およびセルラー回線網（ＣＮ）の機能を使用して、被呼者の固定電話番号で、発呼者から被呼者への呼経路を確立する方法であって、ＰＳＴＮが被呼者を取り扱う電話局（ＣＯ:Central Office）を含み、ＣＮは被呼者を取り扱う移動交換局（ＭＳＣ:Mobile Switching Center）を含み、前記方法は、（ａ）被呼者(called party)への着信呼(incoming call)を特別扱いするために、取扱いＣＯにルーティングテーブルを格納すること、（ｂ）発呼者(calling party)が被呼者への着信呼を開始するときに、その着信呼を、ルーティングテーブルからの決定に従って特別扱いされた呼として、ＭＳＣに向けて送ること、（ｃ）固定電話番号を使用し、取扱いＣＯを介してＭＳＣから被呼者への特別扱いされた発信呼(outgoing call)を開始すること、（ｄ）発信呼を、取扱いＣＯにより特別扱いされた呼として処理すること、および（ｅ）被呼者が発信呼に応答するときに、着信呼と発信呼とを相互接続して呼経路（コールパス:call path）を確立するためにＭＳＣを切り換えることを含む。
【００１１】
本発明の広範な呼転送(call forwarding)の態様によれば、確立された呼経路をさらに転送する方法であって、確立された呼経路は、発呼者とＭＳＣとの間の第１の呼接続(call connection)と、被呼者とＭＳＣとの間の第２の接続とを含み、前記方法は、（ａ）被呼者からの呼転送要求を検出するために第２の呼接続を監視すること、（ｂ）ＭＳＣによって、呼転送要求に応じて被呼者に割り当てられたセルラー電話番号Ｎcへの発信呼を開始すること、（ｃ）Ｎcが割り当てられたセルラー電話への発信呼が応答されると必ず、ＭＳＣとセルラー電話との間に第３の呼接続を確立すること、ならびに（ｄ）第１の呼接続と第３の呼接続とをブリッジ（bridging)し、第２の呼接続を終了することを含む。
【００１２】
大まかには、本発明のシステム態様に従えば、付随の回路網が上記の方法論を実現する。
【００１３】
（詳細な説明）
第１に、例示的シナリオ、すなわち、（１）発呼者（「遠隔(remote)」としてＲで表される）から被呼者（「固定ユーザ(fixed user)」としてＵfで表される）への電話呼をＰＳＴＮのみを介して処理する場合、および（２）発呼者Ｒから被呼者（「セルラーユーザ(cellular user)」としてＵcで表される）への電話呼をＣＮ上で処理する場合に、セルラー回線網（ＣＮ）と共に作動する公衆交換電話回線網（ＰＳＴＮ）の従来の動作について考えてみるとよい。この従来の動作を解明する主な目的は、本発明の様々な態様に従って使用されるＰＳＴＮおよびＣＮの機能に焦点を当てることである。
【００１４】
図１は、ＰＳＴＮ  １１０およびＣＮ  １５０からなる例示的回線網の基礎構造１００を示す、高水準ブロック図である。
【００１５】
（公衆交換電話回線網:Public Switched Telephone Network）
例示的ＰＳＴＮ  １１０は、（ａ）ユーザ１０１の取扱い局である終端電話局（ＣＯ）１２１、およびユーザ１０３の取扱い局である終端電話局１２２、ならびに終端電話局１２３と、（ｂ）ＣＯ  １２１〜１２３に接続されたアクセスタンデム（ＡＴ）局１３１と、（ｃ）それぞれチャネル１４２、１４４、１４５、および１４３を介してＣＯ  １２１〜１２３ならびにＡＴ  １３１に接続され、呼のセットアップおよび呼の完了信号メッセージに使用される、信号方式７（ＳＳ７）回線網１４１からなる。従来のＳＳ７プロトコルが、ＳＳ７回線網１４１によって処理および生成される信号メッセージに使用される。
【００１６】
ＣＯ  １２１からＡＴ  １３１へのトランク１２６を介した相互接続は、ローカル通信事業者(市内電話会社：local exchange carrier)（ＬＥＣ）サービスプロバイダと呼ばれることの多い、いわゆる２段階層の現代のローカルアクセスプロバイダを例示するものである。ＣＯ  １２１は、所定の地理的区域内にいるＰＳＴＮ  １１０のユーザに基本的アクセスを提供するものであり、これはたとえば、所与のサービスプロバイダの加入者／ユーザに基本的な「ダイヤルトーン」を提供するＣＯ  １２１である。ＣＯ  １２１は、「市内通話(local call)」を処理するために、同じ市内通話区域内にある他の終端電話局（図示せず）に直接リンクしてもよい。他方で、「市外(toll)」通話(call)は、呼の宛先に応じてＬＥＣまたは市外通信事業者(長距離電話会社:Interexchange Carrier)（ＩＣ）へ移送するために、ＡＴ  １３１を介して送られる。図１の例示的回線網では、（概略を失うことなく説明を簡単にするために）ＣＯ  １２２および１２３がＣＯ  １２１と同じＬＥＣ内にあると想定される。（一般に、ＣＯ  １２２および１２３は、市内から世界中へ、ＰＳＴＮ  １１０内のどこにでも配置可能である。）
【００１７】
ＡＴ  １３１は、履歴上および技術上の両方の理由から存在する。履歴上から言えば、いわゆる市内交換および搬送区域（ＬＡＴＡ）として知られるサービス区域が確立され、ＬＥＣの業務がＬＡＴＡ内の動作に限られているために、ＩＣによるＬＡＴＡ内のエントリポイントとして処理するためにアクセスタンデムが作成された。この階層をセルラー回線網１５０に取り入れることについては、下記で論じる。さらに、ＡＴ  １３１は、「長距離」型通話に必要とされる、より厳格な伝送特性を提供する。
【００１８】
ＣＯ  １２１〜１２３がラインサイドおよびトランクサイド両方の接続を提供するのに対し、ＡＴ  １３１は電話局および交換搬送局の両方に対するトランクサイド接続のみを提供する。簡単に言えば、ラインサイド接続（たとえばワイヤペア(wire pairs)１２４および１２５）が、ＣＯ  １２１および１２２によって提供された電話サービスの加入者と直接インターフェースする。トランクサイド接続（たとえばトランク１２６〜１２８）は、交換施設を相互に結合する。各トランク１２６〜１２８が、必要に応じて「通話経路（トーキングパス:talking path）」に使用されるトランクと信号伝送(signaling)に使用されるトランクの両方からなる。これらのタイプの接続を取り入れることについては、ＣＮ  １５０を紹介するときにさらに詳しく説明する。
【００１９】
ＰＳＴＮ  １１０での信号方式(signaling)は、主に、信号方式がラインサイドであるかトランクサイドであるかに依存する。ラインサイドでの信号は、典型的には回路自体に関連付けられるものであり、すなわち、加入者ワイヤペア１２４がＣＯ  １２１をユーザ１０１に結合するか、またはワイヤペア１２７がＣＯ  １２２をユーザ１０３に結合する。こうした信号方式は、通常帯域内周波であって、つまり関連付けられたワイヤペアを使用する。帯域内周波信号方式の例には、電話の受話器を取る「オフフック」、受話器を置く「オンフック」、「ダイヤリング」（たとえば、ＤＴＭＦトーンを使用して電話のキーパッドで数字をキー入力する）、ユーザに着信呼を知らせる「リンギング」、確立された接続上で電話に供給される直流が瞬間的に途絶される「フラッシング」、および「帯域内周波トーン信号方式」（たとえばＤＴＭＦトーン）が含まれる。これらのタイプの機能は、本発明の発明態様に従って使用される。一般に、信号要素にはいくつかの基本タイプがあり、アドレス指定、監視、着信（警報:alert）、呼の進行(call progress)、および制御が含まれる。
【００２０】
電話局とアクセスタンデム局との間の信号方式タイプは、ワイヤペア／音声経路とは異なる経路を使用し、こうした信号方式の構成が共通チャネル信号方式（ＣＣＳ）として知られており、ＣＣＳを代表する１つのよく知られた信号方式がＳＳ７信号方式である。ＣＣＳの有用性は、被呼者の可用性がＣＣＳを介して確立できる、被呼者のワイヤペア上の「話中信号(busy signal)」または被呼者からの「無応答(no answer)」によって提供されるなどといった情報を、被呼者が入手できない場合に、ＰＳＴＮ  １１０を介して回路経路を確立する必要がない（すなわち他の呼接続に回路施設を解放する）ことである。本発明に従って使用されるＣＣＳの不可欠な特性については、ＣＣＳについて説明する時点で詳細に論じる。
【００２１】
標準的な動作シナリオについて述べるには、ＰＳＴＮ対ＰＳＴＮ呼について考えてみる。遠隔の発呼者Ｒ（この例ではユーザ１０１）が被呼者Ｕf（この例ではユーザ１０３）に対して電話呼を開始すると想定され、ここでＵfには固定電話番号９０８−５５５−１１１１が割り当てられる。この呼を確立するには、発呼者Ｒの呼開始アクション（受話器を取りＵfの電話番号をダイヤルする）によって生成される信号メッセージは、ＣＯ  １２１によって信号チャネル１４２を介してＳＳ７  １４１に発信される。次に、ＳＳ７  １４１がこの信号メッセージを処理し、呼に関するルート指定情報および信号情報を、信号チャネル１４２〜１４４を介してＣＯ  １２１、ＡＴ  １３１、およびＣＯ  １２２に提供した結果、被呼者Ｕfがワイヤペア１２７に加えられた着信呼の呼出し信号に応答すると必ず、順にワイヤペア１２４、ＣＯ  １２１、トランク１２６、ＡＴ  １３１、トランク１２７、ＣＯ  １２２、およびワイヤペア１２７を介して、被呼者Ｕfまでの呼接続経路を確立することができる。呼が確立されたと想定すると、次いでＣＯ  １２１および１２２は確立された呼の呼完了を監視し、（たとえば両方の当事者が受話器を置く(on-hook)ことによって）呼の完了を検出すると、確立された通話経路(established talking path)はテークダウン(taken down)される。
【００２２】
（セルラー回線網１５０）
例示的ＣＮ  １５０は、（ａ）移動端末（ＭＴ）１５１および１５２ならびにＭＴ  １５１の取扱いユーザ（Ｕc）１０２、（ｂ）基地局（ＢＳ）１６１、１６２、１６３、および１６４、（ｃ）基地局制御装置（ＢＳＣ）１７１および１７２、（ｄ）移動交換局（ＭＳＣ）１８１、ならびに（ｅ）ＳＳ７回線網１４１に結合されたホームロケーションレジスタ(home location register)（ＨＬＲ）１９１、およびＭＳＣ  １８１に結合されたビジターロケーションレジスタ（ＶＬＲ）１９２からなる。ＭＴ  １５１に焦点を当ててみると、無線チャネル１６５を介して、ホーム基地局としての基地局１６４により処理され、ＭＴ  １５１のユーザ１０２は自由に「移動(roam)」できるため、この例では、ユーザを他の基地局１６１〜１６３が取り扱うこともできる。基地局１６１〜１６４はトランクを介してＢＳＣ  １７１に接続されており、基地局１６４とＢＳＣ  １７１とを接続するものとしてトランク１７３が示されている。ＢＳＣ  １７１または１７２それぞれの主な目的は、無線チャネルの割振りまたはハンドオフの実行などによって、関連付けられた基地局の無線リソースを管理することである。ＢＳＣ  １７１および１７２は、それぞれトランク１８３および１８４を介してＭＳＣ１８１に向かう。ＭＳＣ  １８１は典型的な交換機能を提供し、基地局１６１〜１６４のロケーション登録および呼送達を調整する。ＭＳＣ  １８１は、トランク１３２を介してＡＴ  １３１に接続され、トランク１２９を介してＣＯ  １２３への、およびＳＳ７回線網１４１への基幹通信網として働き、これが信号チャネル１８２を介してＣＮ  １５０への信号網として働く。
【００２３】
典型的には、ＭＳＣ  １８１は移動アプリケーション用に調整された特定用途交換器であり、２つの部分、すなわち「有線回線網(wireline network)」サイドおよび「無線回線網(wireless network)」サイドを有するものとして表示できる。有線サイドでは、Ｔ１トランクグループなどの従来のトランク施設(trunking facilities)１３２および１２９によって、ＭＳＣ  １８１がＰＳＴＮ  １１０に接続される。ＣＮ  １５０とＰＳＴＮ  １１０との間の呼セットアップ(call set-up)、呼接続(call connection)、および呼完了(call completion)は、有線サイドにあるＭＳＣ  １８１をたとえばＰＳＴＮのような終端電話局とみなすことによって、従来の有線方式で処理される。無線サイドでは、ＣＮ  １５０だけが関与する無線対無線接続、ならびにＰＳＴＮ  １１０が関与する無線対有線接続を実行するために、ＭＳＣ  １８１が基地局制御装置へのインターフェースを提供する。
【００２４】
したがって、ＭＳＣ  １８１は、セルラー移動電話操作に必要な電話機能を提供し、移動端末とＰＳＴＮ  １１０とをインターフェースさせる。反復すると、これらの機能には、（１）固定対セルラー、セルラー対固定、およびセルラー対セルラー用に２地点間通話を実現するための音声チャネル交換用交換施設を含み、さらにこの交換施設が、移動端末がセルサイト間を移動するときに連続した通話を可能にするためのハンドオフプロセスを発生させるものであって、さらに前記機能が（２）ＰＳＴＮ  １１０との相互間での信号の制御および検出と、（３）情報の制御および調整ならびに移動端末への信号の監視と、（４）移動交換局およびセルサイトに関する呼処理アクティビティの制御および調整と、（５）移動交換局と基地局との間のリンクの制御と、（６）ホームロケーションレジスタとの通信および任意の関連付けられたビジターロケーションレジスタの制御とを含む。
【００２５】
以下の例は、発呼者Ｒ（ユーザ１０１）から被呼者Ｕc（ユーザ１０２）への、ＰＳＴＮを発信元とする呼の、呼のセットアップ、呼の確立(call establishment)、および呼の解体(call teardown)をカバーしており、Ｕcは自分のホーム基地局１６４の取扱い区域内に位置しているため、ＵcはＨＬＲ  １９１およびＶＬＲ  １９２両方に同じ情報で登録され、さらにＵcはセルラー番号９０８−５５５−２２２２によって処理されると想定される。発呼者Ｒは、オフフックの実行およびＵcの電話番号をダイヤルすることによって呼を開始する。ＣＯ  １２１は信号メッセージを処理するためにＳＳ７回線網１４１に送り、次にＳＳ７回線網が経路を確立するために、ワイヤペア１２４、ＣＯ  １２１、トランク１２６、ＡＴ  １３１、トランク１３２、ＭＳＣ  １８１、トランク１８３、ＢＳＣ  １７１、トランク１７３、基地局(base station)１６４、無線経路(radio path)１６５、および移動端末(mobile terminal)１５１を順に含む着信呼の呼出し信号(incoming ringing signal)にＵcが応答すると必ず、信号メッセージをＣＯ  １２１、ＡＴ  １３１、およびＭＳＣ  １８１に戻す。
【００２６】
（ＰＳＴＮ−ＣＮ相互接続）
図１を参照すると、ＡＴ  １３１とＭＳＣ  １８１は接続１３２を介して結合される。本工学技術では、この接続は「タイプ２Ａ」接続として知られ、ＣＯ  １２１〜１２３などの任意の他の電話局と同様に、ＭＳＣ  １８１をＰＳＴＮ  １１０に接続することができる。タイプ２Ａ接続は、トランク信号方式プロトコルを使用する真のトランクサイド接続である。
【００２７】
ＭＳＣ  １８１は、接続１２９を介してＣＯ  １２３にも接続され、このタイプの接続が、ラインサイド接続およびトランクサイド接続の両方の特性を備えた、いわゆるタイプ１接続である。本質において、タイプ１接続は、一般に「ライン処理を有するトランク(trunk with line treatment)」（ＴＷＬＴ）と呼ばれる機能と共にトランク信号方式プロトコルを使用する、電話局へのトランクサイド接続である。基本的には、ＴＷＬＴ機能とは、終端局が一部のラインサイドとトランクサイド機能とを組み合わせることができるようにするものであり、たとえば、トランクサイドの信号方式プロトコルが使用されると、呼は、ラインサイド接続によって実行されたかのように、接続課金目的で記録される。さらに、ＴＷＬＴを使用すると、電話局交換器は、応答監視をＭＳＣ  １８１に戻すことができる。ＭＳＣ  １８１はタイプ１接続を使用して、どんな有効電話番号にもアクセスできる。タイプ１接続によってＭＳＣ  １８１に接続されているように図示されたＣＯ  １２３を完全に取り入れる方法について、簡単に説明する。
【００２８】
典型的には、タイプ２Ａ接続またはタイプ１接続が、双方向通信すなわち送受信用、ならびに当分野でよく知られたＥ＆Ｍ監視用に、４ワイヤ回路を使用する。
【００２９】
（ＣＮ  １５０の回線網管理機能）
前述の固定対セルラー電話の例では、Ｕcは自分のホーム取扱い地域内にいると想定された。ＭＳＣ  １８１の主要機能の１つが、ユーザがＣＮ  １５０全域を移動し、これを超えて他のセルラー回線網プロバイダにまで移動するときに、ユーザの追跡を制御することである。呼処理およびロケーション登録などの、ＣＮ  １５０の回線網管理機能は、ＳＳ７回線網１４１を介した信号メッセージの交換によって達成される。
【００３０】
そのホーム地域内にいる場合およびＭＴ  １５１のユーザが移動する場合の両方で、ＭＴ  １５１を登録するための、標準的なロケーション管理技法の１つは、移動端末を追跡する際にＨＬＲ  １９１およびＶＬＲ  １９２という２タイプのデータベースが呼び出されるような、２段データ階層に基づくものである。この例では、ＭＴ  １５１のユーザは永続的にＨＬＲ  １９１に関連付けられると想定される（他のセルラープロバイダのサービス対象ユーザによってアクセスされる場合、ＳＳ７回線網１４１に向かう他のＨＬＲがあってもよい）。加入しているサービスのタイプ、課金情報、およびロケーション情報などの、各ユーザに関する情報は、ＨＬＲ  １９１に配置されたユーザプロファイルに格納される。一般に、複数のビジターロケーションレジスタがあってもよく、その配置はサービスプロバイダによって異なってもよい。この例では、ＶＬＲ  １９２がＭＳＣ  １８１に関連付けられて示されている。ＶＬＲ  １９２は、ＭＴ  １５１および１５２、ならびに、ＶＬＲ  １９２が取り扱う地理的地域を訪れる（ＨＬＲ  １９１からダウンロードされるような）図示されていない他の移動端末に関する情報を格納する。
【００３１】
（ロケーション登録:Location Registration）
呼を正しく送達するために、ＣＮ  １５０は各移動端末のロケーションを追跡しなければならない。ＭＴ  １５１のユーザがＣＮ  １５０のサービス対象区域(coverage area)内のあちらこちらへ移動すると、ＨＬＲ  １９１およびＶＬＲ  １９２に格納されたデータは、もはや正確でなくなる可能性がある。呼を首尾よく送達するためには、更新技術を適用する必要があり、このプロセスがロケーション登録と呼ばれる。ロケーション登録は、ＭＴ  １５１がその現在のロケーションをＣＮ  １５０に報告するときに、ＭＴ  １５１によって開始される。解説目的で論じた従来のセルラー回線網の１配置構成では、ＣＮ  １５０のサービス対象区域が登録区域（ＲＡ）に分割され、各移動端末が新しいＲＡに入るとロケーション更新を実行する方法を採用する。各ＲＡにはセルの番号が含まれ、一般に同じＲＡに属するすべての基地局は同じＭＳＣに接続される。
【００３２】
移動端末がＲＡに入ると、新しいＲＡが古いＲＡと同じＶＬＲに属していれば、新しいＲＡの識別子（ＩＤ）を記録するようにＶＬＲの記録が更新される。そうでない場合、新しいＲＡが異なるＶＬＲに属していれば、（ａ）新しい取扱いＶＬＲに移動端末を登録する、（ｂ）新しい取扱いＶＬＲのＩＤを記録するためにＨＬＲを更新する、（ｃ）古い取扱いＶＬＲで移動端末を登録解除するという、いくつかの特別なステップが必要となる。
【００３３】
このプロセスの完全な例を説明するために、ロケーション登録時に実行されるタスクのリストを以下に示す。
【００３４】
（ｉ）ＭＴ  １５１は新しいＲＡに入り、ロケーションメッセージを新しい基地局に伝送する。図１では、第１の登録区域がＢＳ  １６１および１６２を含み、第２の登録区域がＢＳ  １６３および１６４を含むものとする。したがって、ＭＴ  １５１が、ＢＳ  １６４がカバーするセルからＢＳ  １６３がカバーするセルに移動すると、登録境界を横切ったことになる。
【００３５】
（ｉｉ）新しいＢＳ  １６２は、ＢＳＣ  １７１を介してロケーション更新メッセージをＭＳＣ  １８１に転送し、これが関連付けられたＶＬＲ  １９２に登録照会を送る。
【００３６】
（ｉｉｉ）ＶＬＲ  １９２は、ＭＴ  １５１のロケーションに関する記録を更新してロケーション登録を完了する。
【００３７】
（呼の送達:Call Delivery）
呼の送達には２つの主要なステップ、すなわち被呼側ＭＴのＶＬＲを決定すること、および被呼側ＭＴが訪問しているセルのロケーションを特定することが含まれる。取扱いＭＴの取扱いＶＬＲを特定することには、発呼側ＭＴがＭＴ  １５１であり被呼側ＭＴがＭＴ  １５２であると想定した、以下のルックアップ手順が含まれる。
【００３８】
（ｉ）発呼側(calling)ＭＴ  １５１が、ＢＳ  １６４およびＢＳＣ  １７１を介して、ＭＳＣ  １８１に呼開始信号を送信する。
【００３９】
（ｉｉ）ＭＳＣ  １８１が、グローバルタイトル変換(global title translation)と呼ばれるテーブルルックアップ手順によって、被呼側(called)ＭＴ  １５２のＨＬＲのアドレスを決定し、ロケーション要求メッセージをそのＨＬＲに送信する。図１の回線網では、ＨＬＲ  １９１が１つしかないので、ＨＬＲ  １９１がＭＴ  １５２に関連付けられたＨＬＲのアドレスであると識別される。
【００４０】
（ｉｉｉ）ＨＬＲ  １９１が、被呼側ＭＴ  １５２の取扱いＶＬＲを決定し、ルート要求メッセージをこの取扱いＶＬＲに送信する。図１の回線網では、ＶＬＲ  １９２が１つしかないので、次いでＶＬＲ  １９２がこのメッセージをＭＳＣ  １８１取扱いＶＬＲ  １９２に転送する。
【００４１】
（ｉｖ）ＭＳＣ  １８１が仮識別子をＭＴ  １５２に割り振り、ＨＬＲ  １９１に仮識別子と共に回答を送信する。
【００４２】
（ｖ）ＨＬＲ  １９１が、この情報を発呼側ＭＴ  １５１のＭＳＣ  １８１に戻す。
【００４３】
（ｖｉ）ＭＳＣ  １８１が、被呼側ＭＴ  １５２のＶＬＲ情報に基づいて呼のセットアップを開始する。（注：図１に示されたものよりも複雑な回線網では、ＭＴ  １５１に関連付けられたＭＳＣおよびＭＴ  １５２に関連付けられた他のＭＳＣがあり、２つのＭＳＣ間での呼のセットアップは、ＳＳ７回線網１４１を介して要求される。）
【００４４】
（本発明による概要）
（ユーザ側から見た動作）
本発明に従った進行呼転送サービス（ＦＯＣＳ）に加入しているユーザは、ユーザへの着信呼またはユーザからの発信呼がＦＯＣＳの加入者への呼として識別されるという意味で、特別扱いされなければならない。したがって着信呼または発信呼は、従来の方法では完了されないが、被呼者を取り扱う電話局の動作を制御するプログラムの、ルーティングテーブルのエントリによってＦＯＣＳ呼として第１に識別される。図１を参照すると、一般に別々の当事者を区別するために上記では参照番号１０２および１０３で識別されたＦＯＣＳのユーザが、ここでは同じ当事者（ユーザ１０２−３と呼ばれる）であり、すなわちユーザ１０２−３はＰＳＴＮ  １１０（たとえばＣＯ  １２２およびワイヤペア１２５）によって取り扱われる固定電話と、ＣＮ  １５０によって取り扱われるセルラー電話（たとえば無線チャネル１６５によってＢＳ  １６４に結合されたＭＴ  １５１）の両方を有すると想定される。Ｎfに対して実行された呼は、ユーザ１０２−３が自分の固定電話で受け取り、同様に実行されたＮcは、依然として自分のセルラー電話で受け取られる。
【００４５】
進行中の呼(on-going call)を、固定電話からセルラー電話へ、あるいはその逆へ転送するために、ユーザ１０２−３はタッチトーンキー、すなわちＤＴＭＦトーンを使用してトーンシーケンスでキー入力するなどの、呼転送信号アクションを開始する。近くにある他方の電話が鳴ると、ユーザ１０２−３は受話器を取って通話を再開する。
【００４６】
発信呼を開始するために、ユーザは単に被呼者の電話番号をダイヤルする。ＦＯＣＳに加入しているユーザからのすべての呼について、発呼者を取り扱う電話局は各発信呼を特別扱いするために転送(redirect)し、その結果被呼者への他の発信呼が開始され、被呼者が第２の発信呼に応答すると必ず発呼者と被呼者との間の呼経路が確立される。
【００４７】
（実施の詳細）
以下の考察は、図２を参照するものであって、本来は図１の回線網配置構成であり、ＦＯＣＳに関する機能を処理するために、ＭＳＣ  １８１と協働するように配置された、固定セルラー移動エージェント（ＦＣＭＡ）２１０と呼ばれるインテリジェントエージェントが介在する。セルラー回線網にある各移動交換局が、関連付けられたＦＣＭＡを有する。
【００４８】
簡単に論じる目的で、ＦＣＭＡ  ２１０はＰＳＴＮタイプの電話局であると想定される。これを実際に達成するためには、図１のＣＯ  １２３がＣＮ  １５０に再配置され、ＦＣＭＡ  ２１０と改名されたと考えてもらいたい。したがって、トランク２１２（以前はトランク１２９）はタイプ１接続であり、信号トランク２１３（以前はトランク１４５）はＳＳ７回線網１４１に接続する。すべての点で、図２のＦＣＭＡ  ２１０はＰＳＴＮ電話局と同様に機能し、交換および信号発信機能を完備している。
【００４９】
さらに、各取扱い電話局１２１，１２２，・・・は、ＦＯＣＳの加入者でもある加入者サブセットを識別するため、したがって着信呼と発信呼の両方を特別扱いするために、ルーティングテーブル２１２，２１２，・・・をデータ構造として維持する。好ましい実施の形態では、このルーティングテーブルを標準的な電話局内に格納されたルーティングテーブルと統合してもよい。
【００５０】
以下のセクションでは、いくつかの異なるシナリオでＦＯＣＳを実施するのに必要なアクションについて説明する。この説明では、ＦＯＣＳに加入している特定ユーザ（ユーザ１０２−３の代わりにＵとする）に焦点が当てられる。
【００５１】
（１．１  Ｎfへの着信呼）
ここで図３を参照すると、発呼者１０１（Ｒ）から被呼者１０３（Ｕ）への呼を完了するＦＣＭＡ  ２１０の動作を説明するために、図２の適切な下位構成要素が詳細に示されている。ＲはＵを呼び出すためにＮf（たとえば９０８−５５５−１１１１）をキー入力する。本発明に従った回路構成では、ＣＯ  １２２は、そのルーティングテーブル２１１を介して、ＵをＦＯＣＳ加入者として識別する。したがって、Ｒからの着信呼は、特別扱いするためにＦＣＭＡ  ２１０に向けて送られる。ＣＯ  １２１の信号メッセージを介したＳＳ７  １４１への呼セットアップ要求は、順にワイヤペア１２４、ＣＯ  １２１、通話トランク(talking trunk)１２６、ＡＴ  １３１、通話トランク１３２−１、ＭＳＣ  １８１（交換ポイント(switching point)１８１−Ａを含む）、通話トランク２１２−１、およびＦＣＭＡ  ２１０（交換ポイント２１０−Ａを含む）からなる呼接続経路用に配置構成するために処理され、この経路が最終的にＣRとして表される。ユーザ１０３−１はＵ（ユーザ１０３）の代理であり、ＦＣＭＡ  ２１０に接続された想像線で表されている。（ＦＣＭＡ  ２１０内にユーザ１０３−１の機器ロケーションが割り当てられているかのようであるが、機器のラインサイドには呼を完了するためのワイヤペアは接続されていない。）
【００５２】
ＦＣＭＡ  ２１０は、ＣＯ  １２１によってルート指定されたＮfへの着信呼を検出すると、Ｕへの呼を開始することにより、今度は発呼者として動作する。論理的感覚からすると、ＦＣＭＡ  ２１０はＮfへの呼を配置するためにＲの代理として動作している。ユーザ１０１−１をＮfへの呼の論理イニシエータ(logical initiator)として想像線で図示することによって、この呼開始アクション(call initiation action)が示される。ＦＣＭＡ  ２１０は、ＵがＮfへの呼に応答すると、呼の経路をセットアップするためにＳＳ７  １４１への呼のセットアップメッセージを開始し、この経路は、順に、ＦＣＭＡ  ２１０（交換ポイント２１０−Ｂを含む）、通話トランク２１２−２、ＭＳＣ  １８１（交換ポイント１８１−Ｂを含む）、通話トランク１３２−２、ＡＴ  １３１（交換ポイント１３１−Ｂを含む）、トランク１２７、ＣＯ  １２２、およびワイヤペア１２５からなり、この経路が最終的にＣUとして表される。ＳＳ７呼セットアップメッセージには、ＣＯ  １２２が、ＦＣＭＡ  ２１０に呼が返送されることのないように、このＦＣＭＡが開始した呼を特別扱いするためのものであるという情報も含まれる。これは、呼のルート指定および完了に関する一般規則の例外であり、したがって一般に、ＦＣＭＡが開始した呼を除き、ＣＯ  １２２に着信するすべてのＵへの呼が、ＦＣＭＡ  ２１０に転送される。
【００５３】
ＵがＮfへの着信呼に応答すると、Ｕが呼に応答したことが、代理の立場でユーザ１０１−１として動作しているＦＣＭＡ  ２１０によって検出される。次いでＦＣＭＡ  ２１０は、ユーザ１０３−１の呼応答代理としてＮfで着信呼に応答する。ここでＦＣＭＡは、交換ポイント２１０−Ａと２１０−Ｂとを相互接続するために、交換ポイント２１０−Ｃを閉じることによって、ＲとＵをブリッジすることができる。実際には、このブリッジ機能を達成するための１つの方法は、代理１０３−１に関連付けられた機器のロケーションと、代理１０１−１に関連付けられた機器のロケーションとをブリッジすることである。
【００５４】
Ｒの立場からすると、Ｕへの呼は、追加の呼のセットアップおよび通話経路のルート指定に関してトランスペアレントであり、Ｒは、ＵがＦＣＭＡ  ２１０によって取り扱われることに気付かない。
【００５５】
前述の図３についての記述が、従来のＰＳＴＮおよびＣＮ要素に関してＵへの呼が完了する方法を思い描くのに役立つ一方で、トランク施設および交換ポイントの使用を減らすことによって効率を上げるために、ＦＣＭＡ  ２１０とＭＳＣ  １８１を同じ場所に配置できることは明らかである。こうしたＦＣＭＡに関する同位置の配置構成が図４に示されており、固定セルラー移動エージェントの同位置に配置された性質を明示するために、ここでは参照番号４１０で表される。この実施形態では、ＦＣＭＡ  ４１０は本来、ＭＳＣ  １８１を実行する汎用プログラムのアプリケーション(applique)であってよいソフトウェアで実施される。基本的に、ＦＣＭＡ  ４１０は埋め込み型電話局の特徴を有しており、すなわち、ＭＳＣ  １８１の標準機能とインターフェースされたときにはトランクサイドの特性、発呼者および被呼者の代理とインターフェースされたときにはラインサイドの特性を有する。
【００５６】
図４の配置構成から、不必要な交換ポイントをなくすためにＭＳＣ  １８１の交換アクションを制御できるように、ＦＣＭＡ  ４１０がＭＳＣ  １８１と統合されると、より高い有効性が実現できることが明らかであるが、こうした配置構成が図５に示されており、ここでは追加機能を強調するために、ＦＣＭＡが参照番号５１０で識別される。具体的に言えば、ＦＣＭＡ  ５１０には、Ｒから着信する通話トランク１３２−１とＵに発信する通話トランク１３２−２とを交差接続するために交換ポイント１８１−Ｃを制御する、制御機能５１１が配置される。
【００５７】
（以下、「Ｈ−ＭＳＣ」は、Ｕのホームロケーションに最も近い取扱い移動交換局を表す。）大まかに言えば、ＦＣＭＡ  ５１０の動作特性を反復すると、ユーザＵには、Ｕの固定電話で呼を受け取るために、ＰＳＴＮ回線網プロバイダによって電話番号Ｎfが割り当てられる。ＵのＮfは、Ｕの取扱いＣＯ内のルーティングテーブルに基づいて、ＰＳＴＮ  １１０が呼を特別扱いされた呼として発呼者ＲからＨ−ＭＳＣに送るためのものである。その後ＦＣＭＡ  ５１０は、Ｈ−ＭＳＣを介してＮfへの特別扱いされた発信呼を開始する。この呼は、特別扱いされた呼としてマークされるので、ＰＳＴＮ  １１０を介してユーザの固定電話に送られる。Ｕが電話に応答すると、事実上はＦＣＭＡ  ５１０がＲからＮfに対して実行された呼に応答し、それをＨ−ＭＳＣに向けて送り、今度はＨ−ＭＳＣの交換機能を介してＵの固定電話までの呼経路を確立する。
【００５８】
ここで、ＦＣＭＡ  ５１０はさらに、Ｕが呼を自分のセルラー電話に転送したいかどうかを検出するために、ＣUも監視することに留意されたい。たとえば、ユーザはＤＴＭＦシーケンスをキー入力することによってこの意思を伝えられることを想起されたい。転送を完了するためにＦＣＭＡ  ５１０によって実行されるアクションについて、簡単に論じる。
【００５９】
（ＲからＵへのＮfを介した呼の流れの概要）
図６の流れ図６００を参照すると、ＦＣＭＡ  ５１０によって実行されるプログラムの流れは、以下のようになる（ＦＣＭＡ  ５１０が必要とする電話タイプの機能が、各ステップの後に括弧で囲んで示されていることに留意）。
【００６０】
１）ブロック６０５  −  Ｒが、ＲのＣＯ  １２１を介してＮf（９０８−５８２−１１１１）でＵを呼び出す。
【００６１】
２）ブロック６１０  −  Ｎfへの呼出しに応答して、Ｕの取扱いＣＯ  １２２が、ルーティングテーブル２１１のエントリからＵをＦＯＣＳの加入者として識別する。
【００６２】
３）ブロック６１５  −  Ｒからの呼が、ＣＯ  １２１からのＳＳ７信号を介して、ＦＣＭＡに転送される。
【００６３】
４）ブロック６２０  −  ＦＣＭＡが、ＣＯ  １２２からのＳＳ７信号を介して、ＲからＮfに向けて送られた着信呼に呼び出される。（信号発信）
【００６４】
５）ブロック６２５  −  ＦＣＭＡが、Ｕへの呼を完了するためのＣＯ  １２２に関する情報を使用して、ＳＳ７回線網への信号メッセージを介してＮfへの呼セットアップを開始する。（呼を開始）
【００６５】
６）ブロック６３０  −  Ｕが、たとえば受話器を取ることによって、ＦＣＭＡが開始した呼に応答する。
【００６６】
７）ブロック６３５  −  ＦＣＭＡが、ＦＣＭＡが開始した呼にＵが答えたという情報を受け取る。（呼が応答される）
【００６７】
８）ブロック６４０  −  Ｕが着信呼に応答することにより、ＵとＭＳＣとの間で、ＡＴ  １３１およびＣＯ  １２２を介して、標準の呼接続ＣUが確立される。
【００６８】
９）ブロック６４５  −  ＦＣＭＡが開始した呼にいったんＵが応答すると、ＦＣＭＡはＲからＦＣＭＡへの着信呼を使用して、ＲとＭＳＣとの間にＡＴ  １３１およびＣＯ  １２１を介して呼接続ＣRを確立する。（呼に応答）
【００６９】
１０）ブロック６５０  −  ＦＣＭＡは標準の交換を介してＣUとＣRとを接続し、ＲとＵとの間の経路全体を完了する。（交換）
【００７０】
１１）ブロック６５５  −  ＦＣＭＡはＣUを監視して、Ｕが要求した呼転送があればこれを検出する。（たとえばＤＴＭＦディジットのパターンによる呼の監視）
【００７１】
（１．２  Ｎfへの着信呼の転送）
ここで、ユーザＵがすでに確立された当事者ＲからＮfへの着信呼を、その固定電話１０３からそのセルラー電話／移動端末１５１に転送することを望むと仮定する。所望の転送を達成するための配置構成が、図７に示されている。図７の記述は、図３の配置構成で呼が完了した時点から開始されており、図７では、所望の転送を実行するのに必要なオーバレイを加えて描き直されている。具体的に言えば、元の通話経路ＣRおよびＣUが、ＦＣＭＡ  ７１０を介して接続されている。ここでさらに、ＦＣＭＡ  ７１０には、Ｕの固定およびセルラー電話番号（ＮfおよびＮc）がリストされているルックアップテーブル７１３（ＦＯＣＳルックアップテーブルと呼ぶ）、ＦＣＭＡ７１０から出ている通話経路のＣU部分、すなわち経路２１２−２を監視するためのモニタ回路７１２、および着信／発信通話経路への交換ポイントを開閉するための交換ポイント制御装置７１１が含まれる。モニタ回路７１２が、たとえば経路２１２−２上でＤＴＭＦトーンのシーケンス（たとえば*１＃１）を検出することによって、Ｕが確立された着信呼の転送を望んでいることを検出すると、ＦＣＭＡ  ７１０は、従来のセルラー回線網タイプの呼としてＵの電話番号Ｎcをダイヤルすることで、代理の呼イニシエータ(surrogate call initiator)として動作する。これが図７に示されており、代理ユーザ(surrogate user)７０１は、制御装置７１１によって閉じられた交換ポイント７１０−Ｄを介してＮcをダイヤルする。Ｕが、ユーザＵと物理的に同じ位置にあると想定されるセルラー電話１５１に応答すると、新しい通話経路がＦＣＭＡ  ７１０からＭＴ  １５１に確立され、この新しい経路は、通話経路２１２−３、交換ポイント１８１−Ｃを介するＭＳＣ  １８１、トランク１８３、基地局制御装置１７１、通話経路１７３、基地局１６４、および無線経路１６５からなり、この接続はＣcとして表される。いったん通話経路Ｃcが確立されると、次いで（ａ）制御装置７１１は、通話経路Ｃcと通話経路ＣRとをブリッジするために交換ポイント７１０−Ｅを閉じ、（ｂ）通話経路ＣUが通常の呼終了手順によって解体できるように、交換ポイント２１０−Ｂおよび２１０−Ｃを開く。
【００７２】
これにより、Ｕの固定電話１０３がＮfで他の着信呼を受け取るために再度使用可能であり、さらにモニタ回路７１２が通話経路２１２−３を監視しているので、ユーザＵの固定電話とＵのセルラー電話との間の呼が再転送できることに留意されたい。
【００７３】
（ＣUからＣCへの呼の転送流れの概要）
図８の流れ図８００を参照すると、ＦＣＭＡ  ７１０によって実行されるプログラム流れは、次のようになる（ＦＣＭＡ  ７１０が必要とする電話タイプの機能が、各ステップの後に括弧で囲んで示されていることに留意）。
【００７４】
１）ブロック８０５  −  Ｕがセルラー電話への呼の転送を要求する。（監視:monitoring）
【００７５】
２）ブロック８１０  −  ＦＣＭＡが、モニタ回路７１２による呼転送要求に呼び出される。
【００７６】
３）ブロック８１５  −  ＦＣＭＡが、ＦＯＣＳルックアップテーブルにあるＵのセルラー番号ＮC（例：９０８−５５５−２２２２）を取得する。
【００７７】
４）ブロック８２０  −  ＦＣＭＡが、ＳＳ７回線網への信号メッセージを介して、ＮCへの呼のセットアップを開始する。（呼を開始:call initiation）
【００７８】
５）ブロック８２５  −  Ｕが、セルラー電話に応答することによって、ＦＣＭＡが開始した呼に応答する。
【００７９】
６）ブロック８３０  −  ＦＣＭＡが、ＦＣＭＡが開始した呼にＵが応答したという情報を受け取る（呼が応答される:call answered）
【００８０】
７）ブロック８３５  −  Ｕが着信呼に応答することによって、ＭＳＣを介してＦＣＭＡとＢＳとの間に標準的な呼接続ＣCが確立される。
【００８１】
８）ブロック８４０  −  ＦＣＭＡが、Ｒからセルラー電話まで呼をブリッジするために、ＣCとＣRを接続する。（交換:switching）
【００８２】
９）ブロック８４５  −  ＦＣＭＡが、固定回線網のＲとＵの間に確立された接続を解体するために、交換を介してＣUとＣRを切り離す。（交換:switching）
【００８３】
（２．１  ＮCへの着信呼）
図１の当事者１０１などの固定回線網にいる第３者（再度遠隔の当事者Ｒとして表す）が、自分のセルラー電話／移動端末１５１でユーザ１０２を呼び出す場合、当事者Ｒは電話番号ＮC（例：９０８−５５５−２２２２）を使用する。ユーザ１０２がＦＯＣＳの加入者で「ない」場合、この着信呼は、図１に関して上記で論じたように、公衆交換電話回線網１１０およびセルラー回線網１５０によって、従来の方法でセルラー電話１５１に送られる。ユーザ１０２が自分のホーム登録区域内にいる場合、この呼は、ＨＬＲ  １９１によって実行される呼登録および呼送達プロセスを介して、ユーザ１０２のＨ−ＭＳＣ（図１の１８１）を通過する。ユーザ１０２が、呼を進行させながら、自分のホーム区域外の登録区域から自分のホーム登録区域内に移動すると、呼は、セルラー回線網での通常のハンドオーバ（ｈａｎｄｏｖｅｒ）の一部としてすなわち、ＨＬＲ  １９１とＶＬＲ  １９２の相互作用で実行される呼の登録、送達、およびハンドオフ手順によって、Ｈ−ＭＳＣに引き渡される。
【００８４】
ただし、ユーザ１０２（ここではＵ）がＦＯＣＳの加入者である場合、セルラー回線網１５０のセルラーサービスプロバイダは、（ＦＯＣＳテーブルのコンテンツによって）Ｕが加入者であることを知り、例示的配置構成では、第１に図３に関して論じ、次に図７に関して論じ、ここでさらに図９に関して論じる、ＦＣＭＡによって実行される処理を開始することによって、ＮCへの着信呼を処理する。図９の配置構成では、ＲがＵを呼び出すと、図３の呼のセットアップおよび呼の完了手順と同様の呼のセットアップおよび呼の完了手順が実行されるが、ここでは、ＲがＮfではなくＮCでＵを呼び出す点が異なる。したがって、図９のＦＭＣＡ  ７１０は、Ｒによる着信呼を処理する被呼者代理として、ならびに自分のセルラー電話１５１にいるＵへの発信呼を開始する発呼者代理として動作する。図９の構成要素は、Ｒが２つの通話経路を介してＵに接続される、最終的な呼接続の結果を示すものである。第１の経路（ここでもＣRと呼ぶ）には、順に、通話経路１２４、ＣＯ  １２１、通話トランク１２６、交換ポイント１３１−Ｃを含むＡＴ  １３１、通話トランク１３２−３、交換ポイント１８１−Ｄを含むＭＳＣ  １８１、および通話トランク２１２−４が含まれる。第２の経路（ここでもＣCと呼ぶ）には、順に、通話トランク２１２−５、交換ポイント１８１−Ｅを含むＭＳＣ  １８１、トランク１８３、ＢＳＣ  １７１、トランク１７３、ＢＳ  １６４、および無線経路１６５が含まれる。ＦＣＭＡ  ７１０では、２つの通話経路が交換ポイント７１０−Ｆ、７１０−Ｇ、および７１０−Ｈを介してブリッジされる。
【００８５】
（ＮCを介したＲからＵへの呼の流れの概要）
図１０の流れ図１０００を参照すると、ＦＣＭＡ  ７１０によって実行されるプログラム流れは、次のようになる（ＦＣＭＡ  ７１０が必要とする電話タイプの機能が、各ステップの後に括弧で囲んで示されていることに留意）。
【００８６】
１）ブロック１００５  −  ＲがＲのＣＯ  １２１を介して、ＮC（例：９０８−５５５−２２２２）でＵを呼び出す。
【００８７】
２）ブロック１０１０  −  ＦＣＭＡが、標準のＳＳ７信号を介してＮCに向けて送られたＲからの着信呼に呼び出される。（信号発信:signaling）
【００８８】
３）ブロック１０１５  −  ＦＣＭＡが、ＳＳ７回線網への信号メッセージを介して、ＮCへの呼のセットアップを開始する。（呼を開始:call initiation）
【００８９】
４）ブロック１０２０  −  Ｕが、たとえばセルラー電話の「ＯＮ」を押すことによって、ＦＣＭＡが開始した呼に応答する。
【００９０】
５）ブロック１０２５  −  ＦＣＭＡが、ＦＣＭＡが開始した呼にＵが応答したという情報を受け取る。（呼が応答される:call answered）
【００９１】
６）ブロック１０３０  −  Ｕが着信呼に応答することによって、ＢＳ  １６４、ＢＳＣ  １７１、およびＭＳＣ  １８１を介して、ＵとＦＣＭＡとの間に標準的な呼接続ＣCが確立される。
【００９２】
７）ブロック１０３５  −  ＦＭＣＡが開始した呼にいったんＵが応答すると、ＦＣＭＡはＲからＦＣＭＡへの着信呼を使用して、ＭＳＣ  １８１、ＡＴ  １３１、およびＣＯ  １２１を介してＲとＦＣＭＡとの間に確立された呼接続ＣRを確立する。（呼に応答:call answering）
【００９３】
８）ブロック１０４０  −  ＦＣＭＡが、標準的な交換を介してＣCとＣRを接続し、ＲとＵの間の経路全体を完了する。（交換:switching）
【００９４】
９）ブロック１０４５  −  ＦＣＭＡはＣCを監視して、Ｕが要求した呼転送があればこれを検出する。（たとえばＤＴＭＦディジットのパターンによる呼の監視:call monitoring）
【００９５】
（他の例示的実施の形態では、図４および図５に関して述べたのと同じ方法で、ＦＣＭＡ  ７１０とＭＳＣ  １８１を組み合わせてもよいことに留意されたい。図９の配置構成の一利点は、展開という面から見ると、ＦＣＭＡ  ７１０が独立型の電話局に似た施設であって、与える影響を最小限にしながら、すなわち、ＭＳＣ  １８１などの従来の回線網の構成要素を修正する必要がなく、従来の回線網の付属物として展開できる点である。）
【００９６】
（２．２  ＮCへの着信呼の転送）
ユーザＵが、すでに確立された当事者ＲからＮCへの着信呼を、自分のセルラー電話／移動端末１５１から自分の固定電話１０３に転送したいとする。この所望の転送を達成するための配置構成が、図１１に示される。図１１の記述は、図９の配置構成で呼が完了した時点から開始され、図１１では所望の転送を実行するのに必要なオーバレイを加えて描き直されている。具体的に言えば、元の通話経路ＣRおよびＣCが、ＦＣＭＡ  ７１０を介して接続されている。ここでモニタ回路７１２は、ＦＣＭＡ  ７１０から出ている通話経路ＣCの部分、すなわち経路２１２−５を監視する。モニタ回路７１２が、たとえば経路２１２−５上でＤＴＭＦトーンのシーケンス（たとえば*１＃１）を検出することによって、Ｕが確立された着信呼の転送を望んでいることを検出すると、ＦＣＭＡ  ７１０は、固定回線網タイプの呼としてＵの電話番号Ｎfをダイヤルすることで、代理の呼イニシエータとして動作する。ＣＯ  １２２がこの呼をＦＣＭＡ  ７１０に返送しないようにするために、この呼には、たとえば、ＦＣＭＡ  ７１０によって呼Ｕに発信されるＳＳ７信号メッセージ内の情報などを含むことによって、返送を迂回するための特別扱いの呼であるというマークを付けなければならない。代理ユーザ１１０１は、制御装置７１１によって閉じられた交換ポイント７１０−Ｉを介してＮfをダイヤルする。Ｕが、ユーザＵと物理的に同じ位置にあると想定される電話１０３に応答すると、新しい通話経路がＦＣＭＡ  ７１０から電話１０３に確立され、この新しい経路は、通話経路２１４−５、交換ポイント１８１−Ｆを介するＭＳＣ  １８１、トランク１３２−４、交換ポイント１３１−Ｄを含むＡＴ  １３１、トランク１２７、ＣＯ  １２２、および通話経路１２５からなり、この接続はＣUとして表される。いったん通話経路ＣUが確立されると、次いで（ａ）制御装置７１１は、通話経路ＣUと通話経路ＣRとをブリッジするために交換ポイント７１０−Ｊを閉じ、（ｂ）通話経路ＣCが通常の呼終了手順によって解体できるように、交換ポイント７１０−Ｆ、７１０−Ｇ、および７１０−Ｈを開く。
【００９７】
これで、Ｕのセルラー電話１５１が他の着信呼を受け取るために再度使用可能であり、さらにモニタ回路７１２が通話経路２１４−５を監視しているので、ユーザＵのセルラー電話とＵの固定電話との間の呼を再転送できることに留意されたい。
【００９８】
（ＣCからＣUへの転送流れの概要）
図１２の流れ図１２００を参照すると、呼を転送するためにＦＣＭＡ  ７１０によって実行されるプログラム流れは、次のようになる（ＦＣＭＡ  ７１０が必要とする電話タイプの機能が、各ステップの後に括弧で囲んで示されていることに留意）。
【００９９】
１）ブロック１２０５  −  Ｕが、固定電話への呼の転送を要求する。（監視:monitoring）
【０１００】
２）ブロック１２１０  −  ＦＣＭＡが、モニタ回路７１２による呼転送要求に呼び出される。
【０１０１】
３）ブロック１２１５  −  ＦＣＭＡが、ＦＯＣＳルックアップテーブルにあるＵの固定番号Ｎf（９０８−５５５−１１１１）を取得する。
【０１０２】
４）ブロック１２２０  −  ＦＣＭＡが、ＳＳ７回線網への信号メッセージを介して、Ｎfへの呼のセットアップを開始する。（呼を開始:call initiation）
【０１０３】
５）ブロック１２２５  −  ＣＯ  １２２が、Ｎfへの呼を特別扱いするために、再転送をＦＣＭＡに迂回するようにという信号メッセージを受け取る。
【０１０４】
６）ブロック１２３０  −  Ｕが、固定電話に応答することによって、ＦＣＭＡが開始した呼に応答する。
【０１０５】
７）ブロック１２３５  −  ＦＣＭＡが、ＦＣＭＡが開始した呼にＵが応答したという情報を受け取る。（呼が応答される:call answered）
【０１０６】
８）ブロック１２４０  −  Ｕが着信呼に応答することによって、ＦＣＭＡとＣＯ  １２２との間に標準的な呼接続ＣUが確立される。
【０１０７】
９）ブロック１２４５  −  ＦＣＭＡが、Ｒから固定電話まで呼をブリッジするために、ＣUとＣRを接続する。（交換:switching）
【０１０８】
１０）ブロック１２５０  −  ＦＣＭＡが、セルラー回線網のＲとＵの間に確立された接続を解体するために、交換を介してＣCとＣRを切り離す。（交換:switching）
【０１０９】
（３．１  ＦＣＭＡによって処理される発信呼）
特定ユーザ（ここでもＵと呼ぶ）によって識別された固定電話１０３または移動端末１５１のいずれかから、遠隔の当事者（すなわち遠隔電話１０１にいる当事者Ｒ）へ呼を発信するために、Ｕは所望の被呼者の番号、すなわちＮaをダイヤルする。ＵがＮaにダイヤルすると、その呼はＦＣＭＡに送られる。たとえば、Ｕによるその固定電話１０２からＲへの発信呼を処理するための配置構成を示した図１３を参照すると、Ｕによる呼は、交換ポイント７１０−Ｋを介してＲの代理である被呼者、すなわち図１３に破線で示された電話１０１−１によって応答される。この呼は、ワイヤペア１２５、ＣＯ  １２２、トランク１２７、交換ポイント１３１−Ｅを含むＡＴ  １３１、トランク経路１３２−５、交換ポイント１８１−Ｇを含むＭＳＣ  １８１、およびトランク２１４−６を含む、呼接続経路ＣUを介して完了する。次にＦＣＭＡ  ７１０は、呼を開始するための代理としての立場から、Ｎaを使用する交換ポイント７１０−Ｌを通り、代理電話１０３−１を介してＮaを使用する当事者Ｒへの呼を開始する。当事者Ｒが電話１０１に応答すると必ず、ＦＣＭＡ  ７１０と当事者Ｒとの間に他の呼接続経路ＣRが確立され、この呼には、トランク２１４−７、交換ポイント１８１−Ｈを含むＭＳＣ  １８１、トランク１３２−６、交換ポイント１３１−Ｆを含むＡＴ  １３１、トランク１２６、ＣＯ  １２１、およびワイヤペア１２４が含まれる。次いでＦＣＭＡ  ７１０はＣUとＣRをブリッジする。
【０１１０】
（ＣCからＣUへの転送流れの概要）
図１４の流れ図１４００を参照すると、ＵによるＲへの発信呼に関してＦＣＭＡ  ７１０によって実行されるプログラム流れは、次のようになる（ＦＣＭＡ  ７１０が必要とする電話タイプの機能が、各ステップの後に括弧で囲んで示されていることに留意）。
【０１１１】
１）ブロック１４０５  −  ＵがＮaを呼び出して発信呼を開始する。
【０１１２】
２）ブロック１４１０  −  ＵをＦＯＣＳ加入者として識別し、発信呼がＦＣＭＡに送られる。
【０１１３】
３）ブロック１４１５  −  ＦＣＭＡがＮaへの呼に応答することによって、ＦＣＭＡとＣＯ  １２２との間に標準的な呼接続ＣUが確立される。（呼に応答:call answer）
【０１１４】
４）ブロック１４２０  −  ＦＣＭＡが、Ｎaを利用して、ＳＳ７への信号メッセージを介して当事者Ｒへの呼セットアップを開始する。（呼を開始:call initiation）
【０１１５】
５）ブロック１４２５  −  Ｒが、ＦＣＭＡが開始した呼に応答する。
【０１１６】
６）ブロック１４３０  −  ＦＣＭＡが、ＦＣＭＡが開始した呼にＲが応答したという情報を受け取る。（呼が応答される:call answered）
【０１１７】
７）ブロック１４３５  −  Ｒが着信呼に応答することによって、ＦＣＭＡとＣＯ  １２１との間に標準的な呼接続ＣRが確立される。
【０１１８】
８）ブロック１４４０  −  ＦＣＭＡが、ＵからＲへ呼をブリッジするために、ＣUとＣRを接続する。（交換:switching）
【０１１９】
９）ブロック１４４５  −  ＦＣＭＡが呼転送についてＣUを監視する。（監視:nonitoring）
【０１２０】
図１３と図３とをそれぞれの説明を含めて比較すると、呼の完了経路は本質的に同じであることが明らかである。（方向は経路上に矢印で示されているが、この表示は呼を開始または受け取る当事者を示す目的のみで示されている。呼接続自体に方向性はない。）したがって、ここで図１３に示された回路状態が与えられた呼転送を実行するには、図７の配置構成および考察も図１３の配置構成に等しく適用される。さらに、図８の流れ図８００も呼転送要求に適用される。
【０１２１】
ここで、Ｕのセルラー電話１５１を介した当事者Ｒへの発信呼を完了するＵに関して、最終的な呼の完了経路が図９に示される。ＵからＲへの発信呼の経路が図９のものであるため、呼転送要求に関する図１１の配置構成の動作を説明した図１２の流れ図１２００で示したものと同じ方法で呼転送要求を実行することができる。
【０１２２】
以上、本発明の教示を組み込んだ様々な実施の形態について本明細書で詳細に図示および説明してきたが、当分野の技術者であれば、これらの教示を組み込みながらもさらに多くの様々な他の実施形態を数多く容易に考案できよう。
【図面の簡単な説明】
【図１】  従来の公衆交換電話回線網の回線網配置構成ならびに公衆交換電話回線網に統合された従来のセルラー回線網を示す高水準ブロック図である。
【図２】  図１の配置構成に組み込まれた、本発明の回線網配置構成による固定セルラー移動エージェント（ＦＣＭＡ）を示す高水準ブロック図である。
【図３】  本発明により、固定回線網上の発呼者から固定回線網上の被呼者への呼を完了するための呼接続を含む、図２のより詳細な一定の要素を示す図である。
【図４】  ＦＣＭＡが移動交換局と同じ場所に配置された、図３の配置構成と同等に動作する配置構成を示す図である。
【図５】  移動交換局の構造および動作に完全に統合されたＦＣＭＡの好ましい配置構成を示す図である。
【図６】  図２〜５に従ってＦＯＣＳサービスを使用し、固定回線網上の被呼者への呼を処理するための流れ図である。
【図７】  固定回線網からセルラー回線網への確立された着信呼を転送するための、例示的配置構成を示す図である。
【図８】  固定回線網からセルラー回線網への確立された着信呼の転送を処理するための流れ図である。
【図９】  遠隔発呼者からセルラー回線網への着信呼を完了させるための、例示的配置構成を示す図である。
【図１０】  図９に従ってＦＣＭＡを使用し、セルラー回路網上の被呼者への呼を処理するための流れ図である。
【図１１】  セルラー回線網から固定回線網への確立された着信呼を転送するための、例示的配置構成を示す図である。
【図１２】  セルラー回線網から固定回線網への確立された着信呼の転送を処理するための流れ図である。
【図１３】  ＦＯＣＳの加入者／ユーザの固定電話からの発信呼を完了させるための、例示的配置構成を示す図である。
【図１４】  ＦＯＣＳの加入者／ユーザの固定電話からの発信呼を処理するための流れ図である。
複数の図に共通な同じ要素を表す場合、分かり易くするために同じ参照番号を使用する。
【図１】
0003964620.tif 000002
【図２】
0003964620.tif 000003
【図３】
0003964620.tif 000004
【図４】
0003964620.tif 000005
【図５】
0003964620.tif 000006
【図６】
0003964620.tif 000007
【図７】
0003964620.tif 000008
【図８】
0003964620.tif 000009
【図９】
0003964620.tif 000010
【図１０】
0003964620.tif 000011
【図１１】
0003964620.tif 000012
【図１２】
0003964620.tif 000013
【図１３】
0003964620.tif 000014
【図１４】
0003964620.tif 000015